(57)【要約】【課題】  給紙部から排紙部に至る通紙経路に用紙を通紙させ、この通紙過程において印刷部により前記用紙に所望の画像を形成し、前記排紙部には前記用紙のサイズに応じた排紙位置を定めるフェンスが駆動手段により駆動されて位置可変に設けられている画像形成装置において、フェンスの位置設定を実際の排紙の状態に合わせて適正に調整できる画像形成装置を提供すること。【解決手段】  印刷開始前に位置設定されたフェンスの排紙位置を印刷開始後に微調整することができるフェンス微調整手段（Ｋ２、Ｋ３）を具備した。【選択図】図２
2005320115.tif 000002
【特許請求の範囲】
【請求項１】
給紙部から排紙部に至る通紙経路に用紙を通紙させ、この通紙過程において印刷部により前記用紙に所望の画像を形成し、前記排紙部には前記用紙のサイズに応じた排紙位置を定めるフェンスが駆動手段により駆動されて位置可変に設けられている画像形成装置において、  
印刷開始前に位置設定された前記フェンスの排紙位置を印刷開始後に微調整することができるフェンス微調整手段を具備したことを特徴とする画像形成装置。
【請求項２】
請求項１記載の画像形成装置において、前記フェンスは用紙の幅を揃えるサイドフェンス、用紙の搬送方向側の端部を揃えるエンドフェンスの何れかまたは両方を含み、これらのフェンスは前記駆動手段としてのステッピングモーターにより駆動されることを特徴とする画像形成装置。
【請求項３】
請求項１または２に記載の画像形成装置において、前記駆動手段はスイッチ操作により駆動されるものであって、１回のスイッチ操作により前記エンドフェンスを一定の調節単位量だけ移動させるに必要な回転量だけ駆動されることを特徴とする画像形成装置。
【発明の詳細な説明】
【技術分野】
【０００１】
本発明は、給紙部から排紙部に通紙される用紙の排紙位置を定め揃える可動のフェンスを備えた画像形成装置に関する。
【背景技術】
【０００２】
給紙部から排紙部に至る通紙経路に用紙を通紙させ、この通紙過程において印刷部により前記用紙に所望の画像を形成し、前記排紙部には前記用紙のサイズに応じた排紙位置を定めるフェンスが駆動手段により駆動されて位置可変に設けられている画像形成装置がある（例えば、特許文献１参照）。
【０００３】
排紙部は、排紙される用紙を支える排紙台の両側に用紙の幅に応じて対向間隔を調整できる排紙サイドフェンスと、用紙の長さに応じて位置を調整できる排紙エンドフェンスを設けた構造である。一方、給紙する用紙としては、Ａ４縦、Ａ４横、Ｂ５縦、Ｂ５横等のように使用頻度の高い定形の用紙サイズと、使用頻度の低い不定形の用紙サイズとがある。
【０００４】
印刷済みの用紙を安価な構成で揃えるために、定形の用紙サイズの用紙を使用する場合には、自動設定モードにすれば、その用紙サイズに合わせて排紙サイドフェンス及び排紙エンドフェンスが自動的に移動する。
【０００５】
また、不定形の用紙サイズの用紙を使用する場合には、マニュアル調整モードに切り替えることにより、排紙サイドフェンスと排紙エンドフェンスとの位置をこれらのフェンスを移動させるモーターを駆動させることでフェンス位置を合わせる画像形成装置が提案されている。
【０００６】
自動設定モードのもとでは、給紙部に用紙があり、排紙部に用紙がない場合にのみ行なわれるようになっている。それは、給紙部における用紙のサイズをセンサで検知しこの検知情報に基づいて排紙部におけるフェンスの移動を行なうシステムでは、排紙部に残っている用紙サイズよりも給紙台の用紙サイズが大きい場合、排紙サイドフェンスが排紙台に残っている用紙よりも狭い幅まで移動する際、その用紙を傷付けてしまうのでこれを回避するためである。
【０００７】
自動設定モードのもとで、排紙サイドフェンスや排紙エンドフェンスの位置を自動設定により調整するにしても、或いはマニュアル調整モードのもとで調整するにしても、印刷開始までにはオペレーターによりこれらのフェンスは排紙されてくる用紙を揃えるに適する位置に一応設定されているはずである。
【０００８】
しかし、実際に印刷に入ってから、排紙サイドフェンスや排紙エンドフェンスにより用紙を揃えることができない場合が生じる。この原因としては、（ａ）マニュアル調整については、オペレーターの操作による位置合わせが不十分な場合、或いは（ｂ）自動設定される場合で、画像形成装置が孔版印刷装置のときには該孔版印刷装置に使用されるインキの成分のうち６０〜７０パーセントが水分であるので、この水分により用紙の印刷面は繊維が膨潤して展延して用紙が反ってしまい、この反りが用紙の紙厚が薄いほど顕著であるため、用紙の反りが大きい薄紙では用紙と排紙サイドフェンス或いは用紙とエンドフェンスとの間に隙間が生じるからである。
【０００９】
かかる事態が生じた場合、印刷に入っているので、排紙部には既に用紙が存在おり、このため印刷装置を停止してフェンス位置を合わせるべく例えば自動設定モードにした場合には、前記した自動設定モードの条件より、排紙部の用紙を取り除かなければフェンスの微調整はできない。従って、印刷を一度停止させて用紙を排紙部から取り除き、位置設定をし直さなければならない。
【００１０】
つまり、印刷停止→排紙部でのフェンスの位置調整→印刷開始→印刷停止→排紙部でのフェンスの位置調整…というように、操作を何度も繰り返さなければならない。しかも、用紙を取り除いてフェンス位置を再設定する際、間違った設定を行なう可能性もあり、その場合には排紙揃えが悪くなり、排紙ジャムの原因にもなる。
【００１１】
或いは、自動設定モードではく、マニュアル調整モードを選択した場合には、マニュアル調整モードにおけるフェンスの位置設定が元来使用頻度の低い不定形用紙に対するフェンスの位置合わせを想定したものであるため、操作性の配慮が不十分でフェンス駆動用のスイッチを押すのに合わせて、つまり、スイッチがオンにされるのに合わせて、押しつづけている間移動する構成であるため、熟練しないと微調整が困難である。
【００１２】
印刷動作中、従来機では微小なフェンスの移動を手動で行なうことが困難なため、排紙フェンスの位置調整はできないようになっている。
【００１３】
【特許文献１】特開２００１−２０６６１７号公報
【発明の開示】
【発明が解決しようとする課題】
【００１４】
この発明は前記の従来技術の経緯に鑑みてなされたものであり、フェンスの位置設定を実際の排紙の状態に合わせて調整できる画像形成装置を提供することを課題とする。
【課題を解決するための手段】
【００１５】
本発明は、前記課題を達成するため以下の構成とした。  
請求項１記載の発明では、給紙部から排紙部に至る通紙経路に用紙を通紙させ、この通紙過程において印刷部により前記用紙に所望の画像を形成し、前記排紙部には前記用紙のサイズに応じた排紙位置を定めるフェンスが駆動手段により駆動されて位置可変に設けられている画像形成装置において、印刷開始前に位置設定された前記フェンスの排紙位置を印刷開始後に微調整することができるフェンス微調整手段を具備した。
【００１６】
請求項１に記載の画像形成装置において、前記フェンスは用紙の幅を揃えるサイドフェンス、用紙の搬送方向側の端部を揃えるエンドフェンスの何れかまたは両方を含み、これらのフェンスは前記駆動手段としてのステッピングモーターにより駆動されることとした（請求項２）。
【００１７】
請求項１または２に記載の画像形成装置において、前記駆動手段はステッピングモーターであり、スイッチ操作により駆動されるものであって、１回のスイッチ操作により前記エンドフェンスを一定の調節単位量だけ移動させるに必要な回転量だけ駆動されることとした（請求項３）。
【発明の効果】
【００１８】
この発明によれば、フェンスの位置設定を実際の排紙の状態に合わせて調整できる。
【発明を実施するための最良の形態】
【００１９】
この発明の実施の形態として画像形成装置が孔版印刷機である場合の例を図１乃至図４を参照して説明する。  
［孔版印刷機の基本構造］
穿孔画像が形成されたマスタ２を使用して印刷を行なう孔版印刷機１の基本的な構造は周知であるので、基本構造については簡単に説明する。図１において、孔版印刷機１は、概略構造として、光学読取部３、製版部４、印刷部５、排版部６、給紙部７、及び排紙部８から構成されている。
【００２０】
光学読取部３は、図示しない原稿の画像を光学的に読み取るデジタルスキャナとしての構造を有する。製版部４は、光学読取部３で読み取った原稿画像の情報を穿孔画像としてマスタ２に形成する機能を有し、穿孔画像が形成されたマスタ２を印刷部５に送り出す構造となっている。ここで、マスタ２は製版部４内にロール状に巻回保持されていて、製版部４内にて所定の経路に引き出されて加熱穿孔される。穿孔画像形成後のマスタ２は所定の長さに切断され、印刷部５に送り出される。
【００２１】
印刷部５は、版胴９とこの版胴９に対して圧接離反可能に設けられた押圧部材としてのプレスローラ１０とを主要な構成要素として有する。この版胴９は、０．２５〜１．０ｍｍ程度の間隔で直径０．１５〜０．５ｍｍ程度の孔が外周面に形成されたもので、支軸を中心として回転駆動される。版胴９は、製版部４から送り出されたマスタ２を挾持して巻回保持し得るように形成されている。印刷部５は、版胴９の内部に図示しないインキ供給部を備える。
【００２２】
印刷部５において、版胴９とプレスローラ１０とのニップ部で印刷が行なわれるので、このニップ部（転写位置）に対応する版胴９の内部にインキ供給部によって適量のインキを供給し、プレスローラ１０で版胴９に圧力を加えて変形させることにより、版胴９の内周面から外周面にインキを漏れ出させる構造である。
【００２３】
版胴９からインキが漏れ出ると、版胴９に巻かれたマスタ２に形成された穿孔をインキが通り抜けることを利用し、版胴９とプレスローラ１０との間に用紙１１を通過させてこの用紙１１に画像を形成する。使用後に不要となったマスタ２は排版部６で版胴９から剥ぎ取られて収納される。
【００２４】
給紙部７は、給紙台１２に積層状態で載置された用紙１１を分離して版胴９とプレスローラ１０とのニップ部（転写位置）に向けて送り出す。版胴９とプレスローラ１０との間に導かれた用紙１１は、ベルトコンベア１３により排紙部８の排紙台１４に向けて搬送される。給紙部７と排紙部８は上記ニップ部（転写位置）を介して通紙経路１５により結ばれている。これらの給紙部７及び排紙部８については、後に詳述する。
【００２５】
［制御系］
上記した孔版印刷機１各部の動作は制御系によって制御される。この制御系は、図示しないＣＰＵ及びメモリからなるマイクロコンピュータによる制御装置を主要な構成要素として備え、この制御装置にメインスイッチ（図示省略）、図２に示す操作パネル１８、図１に示した光学読取部３、製版部４、印刷部５、排版部６、給紙部７、及び排紙部８がそれぞれ接続されて構成されている。
【００２６】
このような孔版印刷機１は、光学読取部３で読み取った原稿画像に基づき製版部４でマスタ２を製版する製版動作と、製版後のマスタ２を利用して用紙１１に原稿画像を転写し印刷する印刷動作とを基本的な動作とする。これらの各動作は、操作パネル１８中の製版スタートキーＫ１の押下によって連続的に実行される。
【００２７】
［製版動作］
製版スタートキーＫ１が押下されると、版胴９に巻き付いている使用済みのマスタ２が排版部６に廃棄される。実質的な製版動作としては、マスタ２が加熱穿孔され、光学読取部３で読み取った原稿画像に基づく穿孔画像がマスタ２に形成される。加熱穿孔後のマスタ２は、所定の長さに切断されて印刷部５に送られる。
【００２８】
［印刷動作］
印刷部５では、製版部４から搬送された穿孔画像形成済みのマスタ２を版胴９が挾持し、この状態で版胴９が回転することによりマスタ２が版胴９に巻き付けられる。版胴９の回転に同期して給紙部７から用紙１１が版胴９に向けて搬送される。プレスローラ１０は版胴９に巻き付けられたマスタ２に用紙１１を介して押圧されつつ、版胴９の回転に追従して回転する。
【００２９】
これにより、インキ供給部によってインキが供給されている版胴９の内部から外部にインキが漏れ出し、漏れ出したインキがマスタ２に形成された穿孔を通過して用紙１１に転移される。こうして、マスタ２に形成された穿孔画像が用紙に転写されて印刷が行なわれる。
【００３０】
［給排紙機構］
給紙部７について説明する。  
図１において、給紙台１２にはセットされる用紙１１の整列を維持する給紙サイドフェンス１９が設けられている。この給紙サイドフェンス１９は相対向する一対の板状部材からなるよく知られた機構からなり、後述する排紙サイドフェンスもこれに準じた構造をしている。
【００３１】
図１において、給紙サイドフェンス１９は、紙幅方向にスライド自在に取り付けられている。給紙台１２には、給紙サイドフェンス１９のスライド方向（図１の紙面を貫く方向）に、本例では４つの用紙サイズ検知センサ２０ａ〜２０ｄが位置を異にして列設されている。
【００３２】
給紙台１２には、矢印ｄで示す用紙搬送方向の上流側に給紙方向の用紙サイズ検出用の少なくとも１つの用紙サイズ検知センサ２０ｅが取り付けられ、下流側に用紙有無検知センサ２１が取り付けられている。これらのセンサは共に前記制御装置に接続されて該制御装置にオン・オフ信号を付与し、これによって給紙台１２に載置された用紙１１のサイズ及び有無を検出するために使用される。
【００３３】
排紙部８について説明する。  
図３は、排紙部８の構造を示すために、一部を切り欠いて示す排紙台１４の平面図である。この排紙台１４には、案内レール２２にスライダ２３ａを介してスライド自在に取り付けられた板状のフェンスを用いた一対の排紙サイドフェンス２３と、案内レール２４にスライダ２５ａを介してスライド自在に取り付けられたフェンスである排紙エンドフェンス２５とが設けられている。
【００３４】
図１において、用紙１１は給紙部７から給紙経路１５を辿り印刷部５を経て排紙台１４に排紙される。こうして排紙される用紙１１を整列する排紙サイドフェンス２３は、図３に示すように、用紙１１の紙幅方向（図３中のａ方向）にスライド自在であり、排紙エンドフェンス２５は、用紙１１の排紙方向及びその逆方向（図３中のｂ方向）にスライド自在である。図３において、一対の排紙サイドフェンス２３は、案内レール２２の裏面に回転自在に取り付けられたピニオンギヤ２６と案内レール２２の裏面に取り付けられた滑りガイド２７に案内されるラック２８とからなるラック＆ピニオン機構２９に連結され、互いに連動してスライドする。
【００３５】
このラック＆ピニオン機構２９の一部を構成するピニオンギヤ２６は、タイミングベルト３０を介し、前記した制御装置に接続された駆動手段としてのステッピングモーター３１により駆動されるウォームギヤ機構３２に連結されている。
【００３６】
このウォームギヤ機構３２は、ステッピングモーター３１の減速機構として機能し、前記した制御装置に接続されて駆動制御されるクラッチとしての電磁クラッチ３３を備える。したがって、この電磁クラッチ３３がオン（接続状態）の場合のみ、ステッピングモーター３１の駆動力がウォームギヤ機構３２、タイミングベルト３０、及びラック＆ピニオン機構２９を介して排紙サイドフェンス２３に伝達されるように構成されている。
【００３７】
排紙エンドフェンス２５は、前記した制御装置に接続された駆動手段としてのステッピングモーター３４により駆動されるウォームギヤ機構３５と、このウォームギヤ機構３５に連結するラック・ピニオン機構３６とを介して駆動される構造である。排紙エンドフェンス２５に動力の伝達をするウォームギヤ機構３５も、ステッピングモーター３４の減速機構として機能し、前記した制御装置に接続されて駆動制御されるクラッチとしての電磁クラッチ３７を備えている。
【００３８】
排紙台１４には、排紙台１４上における用紙１１の有無を検出する光反射センサ構成の用紙有無検知センサ３８と、サイドフェンス位置センサ３９ａ、３９ｂ、３９ｃ、３９ｄ、３９ｅと、エンドフェンス位置センサ４０ａ、４０ｂ、４０ｄ、４０ｅが設けられ、それぞれ前記した制御装置に接続されている。
【００３９】
サイドフェンス位置センサ３９ａ〜３９ｄは、ラック・ピニオン機構２９における一方のラック２８より突出する検出片４１の有無を紙幅方向の５箇所で検出する５つの光反射型のセンサである。排紙サイドフェンス２３の対向間隔Ｈは、サイドフェンス位置センサ３９ａ〜３９ｅのうち、センサ３９ａがオンの場合には１８２ｍｍ（Ｂ５縦サイズ）、センサ３９ｂがオンの場合には２１０ｍｍ（Ａ４縦サイズ）、センサ３９ｃがオンの場合には２５７ｍｍ（Ｂ５横サイズ）、センサ３９ｄがオンの場合には２９７ｍｍ（Ａ４横サイズ）、センサ３９ｅがオンの場合には３１０ｍｍ（ホームポジション）にそれぞれ設定されている。
【００４０】
エンドフェンス位置センサ４０ａ〜４０ｅは、ラック＆ピニオン機構３６におけるラックより突出する検出片４２の有無を排紙方向の５箇所で検出する５つの光反射型のセンサである。排紙エンドフェンス２５の位置によって決定される排紙台１４の適合用紙長Ｌは、エンドフェンス位置センサ４０ａ〜４０ｅのうち、センサ４０ａがオンの場合には２１０ｍｍ（Ａ４横サイズ）、センサ４０ｂがオンの場合には２５７ｍｍ（Ｂ５縦サイズ）、センサ４０ｃがオンの場合には２９７ｍｍ（Ａ４縦サイズ）、センサ４０ｄがオンの場合には３６４ｍｍ（Ｂ４縦サイズ）、センサ４０ｅがオンの場合には４２０ｍｍ（Ａ３縦サイズ）にそれぞれ設定されている。用紙１１を排紙台１４に排出させるベルトコンベア１３（図１参照）には、用紙１１の通過を検出する排紙センサ４３が設けられている。
【００４１】
［排紙フェンスの位置調整］
孔版印刷機１は、前記した制御装置により実行される各種の手段として、排紙部８に排紙される定形の用紙１１のサイズを認識する用紙サイズ認識手段、選択された用紙１１のサイズを更新自在に記憶するサイズ記憶手段、排紙サイドフェンス２３及び排紙エンドフェンス２５の移動を自動調整モードで行うかマニアル調整モードで行うか、を選択するモード選択手段、自動調整モードの選択時にステッピングモーター３１、３４を起動させて用紙サイズ認識手段に認識された用紙１１のサイズに応じた位置に排紙サイドフェンス２３及び排紙エンドフェンス２５の位置を設定するフェンス位置設定手段、本発明のフェンス微調整時にフェンス駆動用のステッピングモーター３１、３４を優先して駆動し、所望の方向に所望量だけ移動させるフェンス微調整制御手段を備えている。
【００４２】
印刷に際しては、図１に示した孔版印刷機１の本体側部に設けられた図示省略のメインスイッチを操作して電源を投入する。印刷部５により印刷を行なおうとする定形の用紙サイズの用紙１１を給紙台１２に載置し、操作パネル１８に設けられたモード切り換えキーの操作により用紙が定形サイズなら自動設定モード、不定形サイズならマニュアルモードに指定し、モードを実行する。
【００４３】
（Ａ）  例えば、用紙サイズが定形の場合、自動設定モードが選択される。その場合、先ず用紙サイズ認識手段によってその用紙１１のサイズ（幅及び長さ）が認識される。自動調整モードで実行するフェンス位置設定手段は、ステッピングモーター３１、３４を起動させ、排紙サイドフェンス２３の対向間隔と排紙エンドフェンス２５の位置とを用紙サイズ認識手段に認識された用紙１１のサイズに応じて設定する。
【００４４】
つまり、排紙サイドフェンス２３の対向間隔は、サイドフェンス位置センサ３９ａ〜３９ｅの出力によって検出されるため、フェンス位置設定手段は、電磁クラッチ３３をオンにし、排紙サイドフェンス２３の間隔が所望の対向間隔に設定されるまでステッピングモーター３１を起動させる。
【００４５】
排紙エンドフェンス２５の位置は、エンドフェンス位置センサ４０ａ〜４０ｅによって検出されるため、フェンス位置設定手段は、電磁クラッチ３７をオン（接続状態）にし、排紙エンドフェンス２５の位置が所望の位置に設定されるまでステッピングモーター３４を起動させる。
【００４６】
（Ｂ）  例えば、用紙１１のサイズが不定形であり、自動設定モードになじまないときには、自動設定モードにせずにマニュアルモードが選択される。その場合には、操作キーを手動で押下することにより排紙フェンスの位置が変わり、現在位置がディスプレイに表示されるので、かかる表示値を目安にして排紙フェンスの幅を設定する。
【００４７】
上記（Ａ）、（Ｂ）何れのモードが選択されるにしても、排紙フェンスの位置が用紙サイズに適合した位置に移動したと判断されると、オペレーターが製版スタートキーＫ１を押すことにより、印刷が開示される。
【００４８】
印刷開始後は、オペレーターが、用紙の排紙状況を目視してフェンス位置の微調整が必要であると判断したときには、排紙フェンスの位置を再調整することとなるが、その際、次のケースが想定される。
１．機械を運転中に排紙フェンスを手動操作で移動して調整する。
２．機械を停止して、自動設定モードに切り換えて自動調整する。
３．機械を停止して、排紙フェンスを手動操作で移動して調整する。
【００４９】
この発明では、上記の１、２、３の何れの場合においても、図２に示した排紙ガイド調整キーＫ２、上下左右キーＫ３の操作を優先して有効とし、印刷動作中においても、自動設定モード中でも、マニュアルモード中でも、有効とし、本発明にかかるこれらキーの操作により、排紙フェンスを微調整移動することができるようにした。
【００５０】
上記２のケースで、自動設定モードでは、給紙部７において用紙有無検知センサ２１が用紙１１を検知し、排紙部８において用紙有無検知センサ３８が用紙１１を検知しない場合にのみ動作するのであるから、印刷の途中で機械を停止したときには、通常は排紙部に用紙があるので、排紙フェンスを移動させることはできない構成であるが、この発明では、オペレーターが監視のもとで行なう操作であり、かつ、フェンス移動量も制限されているので可能にした。上記１、３のケースでも、常に、排紙ガイド調整キーＫ２、上下左右キーＫ３を操作することによりその操作が優先するようにした。
【００５１】
排紙ガイド調整キーＫ２、上下左右キーＫ３及びこれらの微調整キーからの指示を、本発明のフェンス微調整の妨害要因（自動設定モードのもとで、排紙部の用紙を除かないとフェンス微調整ができない）に優先させてステッピングモーター３１、３４などを駆動させるようにした。その手段としては、例えば、これらモーターの駆動回路にこれら微調整キーからの指示が直接入力されて駆動されるようにすることで達成できる。
【００５２】
排紙ガイド調整キーＫ２、上下左右キーＫ３、ステッッピングモーター３１、３４、これらモーターとフェンスとをつなぐウォームギヤ機構やフェンス周辺の案内部材などの構成、制御装置などは、印刷開始前に位置設定されたフェンスの排紙位置を印刷開始後に微調整するフェンス微調整手段を構成する。
［微調整の操作キー］
この発明のフェンス微調整は、図２に示した排紙ガイド調整キーＫ２と上下左右キーＫ３の組合せ操作により行なう。排紙ガイド調整キーＫ２を押下した状態のもとで上下左右キーＫ３の上下左右何れかのキーを押下することで、それぞれに対応したフェンスが移動する。
【００５３】
上下左右キーＫ３は、フェンスの移動方向である上下左右にそれぞれ対応した４つのキーからなる。これらのキーを、上キー３Ｕ、下キー３Ｄ、左キー３Ｌ、右キー３Ｒと称する。排紙ガイド調整キーＫ２と上キー３Ｕとを押すと、図３に示した２つの対向する排紙サイドフェンス２３、２３の間隔が開く方向に移動させることができるし、排紙ガイド調整キーＫ２と下キー３Ｄとを押すと、排紙サイドフェンス２３、２３の間隔が狭まる方向に移動させることができる。
【００５４】
また、排紙ガイド調整キーＫ２と左キー３Ｌとが押されると、図３に示した排紙エンドフェンス２５が左方向に移動するし、排紙ガイド調整キーＫ２と右キー３Ｒとが押されると、排紙エンドフェンス２５が右方向に移動する。
【００５５】
この微調整は、一旦調整されたフェンスを微調整するものであるから、誤操作を防止する必要がある。そこで、このように複数キーの組合せ押下によりフェンスが移動するようにすることで、操作の慎重を促し、誤操作を防止している。
［微調整手順］
フェンス微調整手段の処理フローを図４に示した。この処理フローは前記制御装置により実行される。図４において、前記した排紙ガイド調整キーＫ２と上下左右キーＫ３の組合せ操作が行なわれても、これらの組合せ操作により指定されたフェンス（指定フェンスという。）が既に移動中（ステップＳＰ２）である場合には、この組合せキー操作に基づくフェンス移動は行なわれない。調整しようとしている指定フェンスが停止していれば、ステップＳＰ３で指定フェンスの移動が行なわれる。
【００５６】
このように、オペレーターが微調整移動させたいと考えている指定フェンスが移動中（動作中）である場合は、微調整移動処理は行なわれないようにしている。これは、排紙ガイド調整キーの連打によりフェンスが移動しすぎるのを防止するためである。
【００５７】
フェンスの微調整に際して、フェンス移動後の停止位置の予測がつき難く、排紙揃え性の低下にも繋がることが考えられることから、微調整キー（排紙ガイド調整キーＫ２、上下左右キーＫ３）の長押しによるフェンスの移動は行なわないこととし、１回の押下につき一定の調節単位量だけ移動するようにした。これにより、移動量の予測がつくので調整がやり易い。
【００５８】
本例では、この一定の調整量として１ｍｍを設定した。この程度の量であれば、フェンスと用紙との隙間を監視しながら、所望の位置にフェンスを移動させるのに適している。この値よりも大きいと、フェンスと用紙とがぶつかる可能性があるし、この値よりも小さいと調整に時間がかかる。
【００５９】
微調整キー（排紙ガイド調整キーＫ２、上下左右キーＫ３）の押下による移動後は、そのフェンス位置の情報を制御装置に保存されるようにした（ステップＳＰ４）。この保存したフェンス位置情報からマニュアル調整をして製版、印刷をすることができ、改めてフェンス微調整を行なう必要がなくなる。
【００６０】
この発明によれば、フェンスの位置設定が行なわれた後でも、実際に排紙部への通紙の状態をみて、フェンスの位置が不適正と判断した場合に、排紙部に用紙があってもこれを取り除くことなく、フェンスの位置を調整することができ、オペレーターの負担を軽減して良好な排紙揃えを実現することができる。
【図面の簡単な説明】
【００６１】
【図１】この発明の実施に適する画像形成装置としての孔版印刷機の概略構成を説明した正面図である。
【図２】操作パネルの平面図である。
【図３】排紙部の平面図である。
【図４】フェンス微調整手段の処理フローである。
【符号の説明】
【００６２】
２３  排紙サイドフェンス
２５  排紙エンドフェンス
３１、３４  ステッッピングモーター
Ｋ２  排紙ガイド調整キー
Ｋ３  上下左右キー
【図１】
2005320115.tif 000003
【図２】
2005320115.tif 000004
【図３】
2005320115.tif 000005
【図４】
2005320115.tif 000006